(57)【特許請求の範囲】
【請求項１】
隣接する噴孔間の距離が３〜３０ｍｍの複数の噴孔を少なくとも垂直方向に有し、各噴孔から噴出する噴霧の軸線が５〜２０°の角度でたがいに交差するように噴孔が配設されており、噴霧の軸線の交点が各噴孔から等距離の位置にあることを特徴とする噴射ノズルを有する殺虫用エアゾール。
【請求項２】
噴霧の噴射量が１．０ｍｌ／秒以上である請求項１記載のエアゾール。
【請求項３】
請求項１又は２記載のエアゾールを用いて、殺虫剤を害虫に向けて噴射する殺虫方法。
【発明の詳細な説明】
【０００１】
【発明の属する技術分野】
本発明は、エアゾール用噴射ノズルに関する。さらに詳しくは、殺虫剤、忌避剤、殺菌剤、消臭剤、芳香剤、塗料などを噴霧するエアゾールに好適に使用しうるエアゾール用噴射ノズルに関する。
【０００２】
【従来の技術】
従来、エアゾール用噴射ノズルには、噴孔が１つ設けられたものが使用されている（実開昭５９−１７６６６７号公報など）。
【０００３】
しかしながら、このノズルには、噴孔が１つしか設けられていないため、噴霧範囲が非常に狭く、広範囲に噴霧することができないという欠点がある。
【０００４】
かかる欠点を解消するものとして、複数のノズルの噴出中心が互いに平行となるように配設された噴出ヘッドが提案されている（実公平６−４６８６４号公報）。
【０００５】
しかしながら、この噴出ヘッドを用いた場合、ノズル孔が１つだけ配設された噴出ヘッドを用いた場合と対比して、噴霧面における噴霧の両端間の距離が拡張されるとはいうものの、その拡張される長さは、両端のノズル間距離にほぼ等しく、通常の噴出ヘッドの大きさを考慮すれば数ｃｍ程度でしかないので、噴霧範囲をほとんど拡張することができないという欠点がある。
【０００６】
【発明が解決しようとする課題】
本発明は、前記従来技術に鑑みてなされたものであり、噴霧を広範囲にわたってノズルから均一に容易に噴出させることができるエアゾール用噴射ノズルを提供することを目的とする。
【０００７】
【課題を解決するための手段】
即ち、本発明は、
〔１〕  隣接する噴孔間の距離が３〜３０ｍｍの複数の噴孔を少なくとも垂直方向に有し、各噴孔から噴出する噴霧の軸線が５〜２０°の角度でたがいに交差するように噴孔が配設されており、噴霧の軸線の交点が各噴孔から等距離の位置にあることを特徴とする噴射ノズルを有する殺虫用エアゾール、並びに
〔２〕  前記〔１〕記載のエアゾールを用いて、殺虫剤を害虫に向けて噴射する殺虫方法
に関する。
【０００８】
【発明の実施の形態】
本発明のエアゾール用噴射ノズルは、前記したように、複数の噴孔を有する。したがって、本発明の噴射ノズルを用いた場合には、噴霧領域での噴霧濃度の分布のバラツキが生じがたく、液体を噴霧領域全体にわたって容易に噴霧することができるという優れた効果が発現される。
【０００９】
さらに、本発明のエアゾール用噴射ノズルは、各噴孔から噴出する噴霧の軸線がたがいに交差するように噴孔が配設されているので、噴霧を均一に容易に噴出させることができる。
【００１０】
なお、本明細書にいう噴霧の軸線とは、図１に示される噴射ノズル５において、噴孔１ａまたは１ｂの中心線Ｃ1 、Ｃ2 をいう。また、噴霧の軸線が交差するとは、図１に示されるように、隣り合う噴孔１ａ、１ｂの軸線（中心線）Ｃ1 とＣ2 とが交わることをいう。
【００１１】
噴孔の開口部の形状は、円形、楕円形、三角形、四角形などがあげられるが、本発明はかかる形状に限定されるものではない。一般的には、その形状は、円形であることが均一塗布の観点から好ましい。
【００１２】
噴孔の直径（噴孔径）については特に限定がなく、本発明の液体噴霧用ノズルの用途に応じて適宜決定すればよい。通常、該噴孔径は、０．１〜２ｍｍ程度、なかんづく０．２〜１．５ｍｍ程度であることが好ましい。
【００１３】
噴孔の数は、本発明の噴射ノズルの用途などに応じて適宜決定すればよく、特に限定がない。その一例として、例えば、本発明の噴射ノズルを殺虫エアゾールなどに使用し、飛遊しているハエなどの飛行速度が高い害虫などを退治する場合には、２〜１０個程度であることが好ましい。また、噴孔の配列は、噴霧領域で容易に液体を噴霧することができればよく、特に限定がない。例えば、該噴孔は、一直線状、波線状あるいは曲線状に一列あるいは二〜三列に配列されていてもよく、円形、三角形状、四角形状、Ｘ形状、十字形状などに配列されていてもよい。
【００１４】
隣接する噴孔間の距離（噴孔間隔）は、配設される噴孔の数などによって異なるので一概には決定することができないが、一般的には、噴射角度を安定させた状態で均一に噴霧をする観点から、３ｍｍ以上であることが好ましい。なお、噴孔間隔は、大きいほど均一噴霧することができるようになるが、あまりにも大きい場合には、隣接する噴孔から噴出された噴霧パターン間に間隙が生じるので、通常、３〜１００ｍｍ程度、なかんづく５〜７０ｍｍ程度であることが好ましい。
【００１５】
本発明においては、噴霧の軸線の交点が各噴孔から等距離にあるように噴射ノズルに噴孔が配設されていることが、噴霧領域全体にわたって均一に噴霧する観点から好ましい。この場合、噴霧を所望の狭い領域にのみ噴射する際には、中心部分に配置された噴孔からその外部に向けて噴霧角度が小さい噴孔を順次配設し、噴霧の軸線の交点が１点に集中するように配設すると、噴霧領域における噴霧の集束状態が非常に良好になるという利点がある。
【００１６】
前記噴霧の軸線の交点とは、図１に示されるように、隣り合う噴孔１ａ、１ｂの軸線（中心線）Ｃ1 およびＣ2 の交点Ｐをいう。また、噴霧の軸線の交点が各噴孔から等距離にあるとは、図１において、噴孔１ａ、１ｂから交点Ｐに至るまでの軸線（中心線）Ｃ1 とＣ2 の長さが等しいことをいう。
【００１７】
また、本発明においては、噴霧の軸線の交差角度が５〜２０°であることが、噴霧の到達距離を長くし、噴霧が所望の場所以外のところに広がらないようにする観点から、好ましい。噴霧の軸線の交差角度は、図１に示されるように、隣り合う噴孔１ａ、１ｂの軸線（中心線）Ｃ1 およびＣ2 の交点Ｐにおいて、軸線（中心線）Ｃ1 とＣ2 との間の角度θを意味する。
【００１８】
本発明のエアゾール用噴射ノズルの噴射物としては、殺虫剤、害虫忌避剤、殺菌剤、消臭剤、芳香剤、塗料などがあげられ、これらは単独でまたは２種以上を混合して用いることができる。また、噴射剤としては、例えば、ジメチルエーテル、液化石油ガス、ブタンなどを用いることができる。
【００１９】
前記内容物における液体担体としては、例えば、水；メチルアルコール、エチルアルコール、エチレングリコールなどのアルコール類；アセトン、メチルエチルケトン、シクロヘキサノンなどのケトン類；エチルエーテル、ジオキサン、テトラヒドロフラン、ブチルセルソルブなどのエーテル類；トルエン、キシレン、ベンゼン、ソルベントナフサ、シクロヘキサン、メチルナフタレンなどの芳香族炭化水素；ケロシンなどの脂肪族炭化水素；エステル類；ニトロ類などがあげられるが、本発明はかかる例示のみに限定されるものではない。
【００２０】
なお、本発明の噴射ノズルを用いて噴霧する際の噴射量は、１．０ｍｌ／秒以上であるとき、噴霧範囲がより広くなるという利点がある。
【００２１】
【実施例】
次に、本発明を実施例に基づいてさらに詳細に説明するが、本発明はかかる実施例のみに限定されるものではない。
【００２２】
実施例１
図２に示される試験装置〔縦：１ｍ、横：１ｍ、高さ：１ｍ、天面に床面から１２０ｃｍの位置から噴霧する際に使用する窓（１５ｃｍ×１５ｃｍ）２を配設〕３内で試験を行なった。試験室３内には、一列あたり４個の割合で等間隔でポリカップ（直径：９ｃｍ、高さ：６ｃｍ）４を床面に４列設置し、また床面の中央部分にも同じポリカップ４を１個設置した。各ポリカップ４には、図２に示されるように、Ａ〜Ｑの符号を付した。各ポリカップ４内にクロゴキブリをそれぞれ１匹ずつ入れ、クロゴキブリが逃げ出さないようにするために内壁面にワセリンを塗布した。
【００２３】
ノズル面の高さが床面から８０ｃｍとなるように試験室の中央部に、図３〜８に示す噴射ノズル（噴孔径：０．７ｍｍ）を有するエアゾール〔内容量：３００ｍｌ、内容物：イミプロトリン、ケロシンおよび噴射剤（ジメチルエーテル）、内圧：０．８ＭＰａ・Ｇ（３５℃）〕を配設し、エアゾールから２秒間噴霧（噴射量：２．６ｍｌ／秒）を行なった後、各ポリカップＡ〜Ｑ内のクロゴキブリが噴霧開始からノックダウンノックダウンに至るまでの時間を調べる操作を５回繰り返し、その時間の平均値、中央５個のポリカップ（Ｆ、Ｇ、Ｉ、ＫおよびＬ）における時間の平均値を求めた。それらの結果を表２に示す。
【００２４】
図３〜６は、それぞれ本発明の噴射ノズル５の概略説明図である。図中において、１は噴孔を示す。また、図中の破線は、噴孔から噴出する噴霧の軸線を示す。図３〜４に示される噴射ノズル５では噴孔１が２個、図５に示される噴射ノズル５では噴孔１が正三角形状に３個、図６に示される噴射ノズル５では噴孔１が正方形状に４個設けられている。また、図７〜８は、それぞれ、従来の噴孔１が１個だけ設けられた噴射ノズル５の概略説明図および従来の噴孔１が平行して２個設けられた噴射ノズル５の概略説明図である。なお、図３〜８に示す噴射ノズルの詳細を表１に記載する。
【００２５】
【表１】
0004447079.tif 000002
【００２６】
【表２】
0004447079.tif 000003
【００２７】
表２に示された結果から、実験例１−１〜１−４では、噴霧の軸線が交差する噴射ノズルが使用されているので、１本のノズルあるいは２本の平行ノズルが設置された噴射ノズルが使用された実験例１−５〜１−６と対比して、ノックダウンに要する時間が短く、効率がよいことがわかる。
【００２８】
実験例１−１と実験例１−２とを対比して明らかなように、噴霧の軸線の交点が各噴孔から等距離にある場合（実験例１−１）のほうがノックダウン効率に優れている。このことから、噴霧の軸線の交点が各噴孔から等距離にあることが好ましいことがわかる。
【００２９】
実施例２
実験例１−１において、噴射ノズルのバルブの仕様を変えることにより、表３に示すように噴射量を調整するとともに、単位時間あたりの有効成分の噴射量が各実験例で同一となるようにエアゾールの内容物における有効成分の含有量を調整し、またノズル面の高さが床面から１２０ｃｍとなるように調節した他は、実験例１−１と同様にしてエアゾールから２秒間噴霧を行なった。その後、実施例１と同様にして、各ポリカップＡ〜Ｑ内のクロゴキブリが噴霧開始からノックダウンノックダウンに至るまでの時間を調べる操作を５回繰り返し、その時間の平均値、中央５個のポリカップ（Ｆ、Ｇ、Ｉ、ＫおよびＬ）における時間の平均値を求めた。それらの結果を表４に示す。
【００３０】
【表３】
0004447079.tif 000004
【００３１】
【表４】
0004447079.tif 000005
【００３２】
表４に示された結果から、ノズル面の高さが床面から１２０ｃｍとなるように調節して噴霧した場合、実験例２−２〜２−３のように、噴射量を１．０ｍｌ／秒以上とした場合には、ノックダウン効率が非常に高くなることがわかる。
【００３３】
実施例３
実験例１−１において、各噴孔間の距離を表５に示すように変更した他は、実験例１−１と同様にしてエアゾールから２秒間噴霧を行なった。その後、実施例１と同様にして、各ポリカップＡ〜Ｑ内のクロゴキブリが噴霧開始からノックダウンに至るまでの時間を調べる操作を５回繰り返し、その時間の平均値、中央５個のポリカップ（Ｆ、Ｇ、Ｉ、ＫおよびＬ）における時間の平均値を求めた。それらの結果を表６に示す。
【００３４】
【表５】
0004447079.tif 000006
【００３５】
【表６】
0004447079.tif 000007
【００３６】
表６に示された結果から、実験例３−１におけるように、噴孔間の距離が１ｍｍのときでも優れたノックダウン効果が発現されるが、さらに実験例３−２〜３−４におけるように、噴孔間の距離が３ｍｍ以上である場合には、噴霧が中央部に集中せず、分散するので、ほぼ均一なノックダウン効果が発現されることがわかる。
【００３７】
実施例４
実験例１−１において、図３または図７〜９のいずれかの噴射ノズルを使用し、軸線の交差角度および床面からのノズル面の高さを表７に示すように変更した他は、実験例１−１と同様にしてエアゾールから２秒間噴霧を行なった。その後、実施例１と同様にして、各ポリカップＡ〜Ｑ内のクロゴキブリが噴霧開始からノックダウンノックダウンに至るまでの時間を調べる操作を５回繰り返し、その時間の平均値、中央５個のポリカップ（Ｆ、Ｇ、Ｉ、ＫおよびＬ）における時間の平均値を求めた。それらの結果を表８に示す。
【００３８】
なお、図９に示される噴射ノズルは、従来の噴孔１が外方向に２個配設され、この２個の噴孔１間の角度が１０°である噴射ノズル５の概略説明図である。
【００３９】
【表７】
0004447079.tif 000008
【００４０】
【表８】
0004447079.tif 000009
【００４１】
表８に示された結果から、ノズルと床面との距離が８０ｃｍである場合、実験例４−１〜４−４におけるように、交差角度が５°以上であれば、ほぼ均一なノックダウン効果が発現されることがわかる。このことから、ノズルと床面との距離が８０ｃｍであるときには、交差角度を５°以上とすることが好ましいことがわかる。
【００４２】
また、ノズルと床面との距離が１２０ｃｍである場合、実験例４−５〜４−８におけるように、交差角度が５〜２０°であるときに、ほぼ均一なノックダウン効果が発現されることがわかる。このことから、ノズルと床面との距離が１２０ｃｍであるときには、交差角度を５〜２０°とすることが好ましいことがわかる。
【００４３】
実施例５
表９に示す仕様を有する図３または図７に示される形態を有する噴射ノズル５を使用した。
【００４４】
一辺の長さが約９ｃｍの正三角錐状を有し、全面がネットで形成された容器内にイエバエの雌１匹を入れたものを９個用意し、平面における容器の配置が図１０に示されるような十字型となるようにして、各容器の間隔を１５ｃｍに調整して試験室（３．６ｍ×３．６ｍ×３．６ｍ）の中央部分に吊るし、ネットから１ｍ離れた位置より、噴射ノズル（噴孔径：０．４ｍｍ）を有するエアゾール〔内容量：３００ｍｌ、内容物：ｄ−Ｔ８０フタルスリン、ケロシンおよび噴射剤（ジメチルエーテル）、内圧：０．８ＭＰａ・Ｇ（３５℃）〕から２秒間噴霧（噴射量：２．６ｍｌ／秒）を行なった後、ノックダウン時間を観察し、その結果を以下の評価基準に基づいて評価した。その結果を表９に示す。
【００４５】
〔評価基準〕
Ａ：３０秒間以内
Ｂ：３０秒間を超え、１分間以内
Ｃ：１分間を超え、２分間以内
Ｄ：２分間を超え、４分間以内
Ｅ：４分間を超え、８分間以内
Ｆ：８分間を超過
【００４６】
【表９】
0004447079.tif 000010
【００４７】
表９に示された結果から、噴出方向の軸線の交差する角度が所定の角度となるように調整した噴射ノズルは、交差角度が５〜２０°であるとき、イエバエに対して、優れたノックダウン効果を広範囲にわたって均一に発現するものであることがわかる。
【００４８】
【発明の効果】
本発明のエアゾール用噴射ノズルによれば、噴霧を広範囲にわたってノズルから均一に容易に噴出させることができるという効果が奏される。
【図面の簡単な説明】
【図１】本発明における噴霧の軸線に関する概略説明図である。
【図２】実施例１で使用された試験装置の概略説明図である。
【図３】本発明の噴射ノズルの一実施態様を示す概略説明図である。
【図４】本発明の噴射ノズルの一実施態様を示す概略説明図である。
【図５】本発明の噴射ノズルの一実施態様を示す概略説明図である。
【図６】本発明の噴射ノズルの一実施態様を示す概略説明図である。
【図７】従来の噴射ノズルの一実施態様を示す概略説明図である。
【図８】従来の噴射ノズルの一実施態様を示す概略説明図である。
【図９】従来の噴射ノズルの一実施態様を示す概略説明図である。
【図１０】実施例５で使用した正三角錐状を有し、全面がネットで形成された容器の配置を示す説明図である。
【符号の説明】
１  噴孔
５  噴射ノズル
【図１】
0004447079.tif 000011
【図２】
0004447079.tif 000012
【図３】
0004447079.tif 000013
【図４】
0004447079.tif 000014
【図５】
0004447079.tif 000015
【図６】
0004447079.tif 000016
【図７】
0004447079.tif 000017
【図８】
0004447079.tif 000018
【図９】
0004447079.tif 000019
【図１０】
0004447079.tif 000020